(57)【要約】【課題】現用と予備の送信装置切替時、受信側装置にて切替前後の受信データが不連続による情報の欠落を防止するため、現用と予備の伝送データの周波数とタイミングとの同期を一致させ、シームレス切替する。【解決手段】同期信号を含むデジタル音声信号を受信する現用の送信装置と予備の送信装置と、送信装置の出力とを切替える切替器と切替器を制御する送信監視板とを有するデジタル無線伝送装置において、現用と予備の送信装置で同期信号を含むデジタル音声信号から同期信号を抽出し、送信監視板にて現用の送信装置で抽出された同期信号または同期信号を含むデジタル音声信号を基準同期信号に選択し基準同期信号に同期した上記クロックとフレーム信号とを双方の送信装置に供給し、現用と予備の送信装置の変調部と周波数変換部とのクロックを同期したクロックとフレーム信号とに同期させる。【選択図】図１
2011071617.tif 000002
【特許請求の範囲】
【請求項１】
同期信号を含むデジタル音声信号を受信するデジタル音声受信部と変調する変調部と高周波数に変換する周波数変換部と増幅する高周波増幅器とからなる現用の送信装置と予備の送信装置とを有し、現用の送信装置の出力と予備の送信装置の出力とを切替える切替器と切替器を制御する送信監視板とを有するデジタル無線伝送装置において、
前記現用の送信装置と予備の送信装置とに、同期信号を含むデジタル音声信号から同期信号を抽出する手段をそれぞれ有し、
前記送信監視板に、前記送信監視板にて現在現用の出力に選択されている側の前記デジタル音声信号の同期信号を含む信号を基準同期信号に選択するスイッチと前記基準同期信号に同期した上記クロックとフレーム信号とを双方の送信装置に供給する同期発生部とを有し、
前記現用の送信装置と予備の送信装置とに、前記送信装置の変調部と周波数変換部とのクロックを前記同期したクロックとフレーム信号とに同期させる同期部とを有することを特徴とするデジタル無線伝送装置。
【発明の詳細な説明】
【技術分野】
【０００１】
本発明は、伝送系を二重に備えたディジタル無線伝送装置に係り、特に２系統の伝送系を切替えて運用するディジタル無線伝送装置に関するものである。
【背景技術】
【０００２】
近年、地上波放送のデジタル化に伴い、放送局で用いられるＳＨＦ（Super High Frequency）を用いたＳＴＬ（Studio Transmitter Link）装置にデジタル無線伝送装置が用いられるようになっている。
【０００３】
また、放送業務用などの高い信頼性が要求されるシステムでは、実運用時での故障耐性や保守作業時での運用性確保の見地から、信号伝送系を二重にし、冗長性が与えられるように構成される場合が多い。ここで、前記システムの送信側において二重化された伝送系を切替える際に、受信側装置にて切替前後の受信データが不連続にならぬように、双方の伝送データを一致させる方式が考えられる。共通の信号(同期パルス)を予備系と現用系に供給し同期を一致させる方法がある。また、各伝送系間で信号(同期パルス)のやり取りを行う事で、伝送データの伝送期間を一致するように予備系を現用系に追従させる方法があり、デジタルテレビＳＴＬ装置で用いられている（特許文献１と特許文献２参照）。
【０００４】
一方、ラジオ放送局で用いられるデジタル音声ＳＴＬ装置においては、デジタルテレビの場合とは異なり、放送信号としてアナログ（音声）信号のみでインターフェースするケースが多く、基準となるクロック、フレーム信号は放送局マスター設備からは供給されない。
【０００５】
上記の場合における、二重化したデジタル音声ＳＴＬ装置の双方の伝送データを一致させる手段の一実施例を図２に説明する。
【０００６】
図２は、アナログ音声を入力信号とするデジタル音声ＳＴＬ送信装置のブロック図を示しており、送信装置２１と送信装置２２の２重化された装置のＳＨＦ出力を、送信監視板２３の切替信号に従ってＳＨＦ切替器３で切替、送信アンテナ４からＳＨＦ電波として出力される。送信装置２１、送信装置２２は、入力したアナログ音声信号をＡ／Ｄ（Analog to Digital）変換し圧縮した上で、入力した接点情報等の制御信号との多重化を行う。さらに誤り訂正符号化、デジタル変調、周波数変換等の処理を行い、高周波数増幅されたＳＨＦ出力をＳＨＦ切替器３に出力する。送信監視板２３は、ＶＣＯ（Voltage Control Oscillator）６、分周回路７、切替制御部８で構成されており、固定電圧で周波数制御されたＶＣＯ６の出力をクロックとして出力する。また、上記クロックを分周回路７で分周して得られたフレーム信号を送信装置２１と送信装置２２へ供給し、送信装置２１と送信装置２２の上記各処理の速度とタイミングとを合わせ、送信装置２１と送信装置２２の伝送データの速度とタイミングとを一致させている。
【０００７】
デジタル音声ＳＴＬの入力音声は、放送局によってはアナログでなくＡＥＳ／ＥＢＵ等のデジタル音声信号の場合がある。デジタル音声信号は音声情報と同期信号が混合されており、その同期信号とサンプリングレートとから抽出したタイミングと周波数とのクロックで音声情報を処理する必要がある。
【０００８】
しかし、アナログ音声を扱った従来のように、入力音声とは無相関にフリー発振するＶＣＯ６のクロックと分周回路７のフレーム信号では、音声情報のサンプリングレートに追従した処理速度が得られず、音声情報の欠落等が発生してしまう。
【先行技術文献】
【特許文献】
【０００９】
【特許文献１】特開２００２−３５９５７８号公報
【特許文献２】特開２００３−１１０４６７号公報
【発明の概要】
【発明が解決しようとする課題】
【００１０】
本発明は、デジタル音声ＳＴＬの情報の欠落を防止しシームレス切替を実現することを目的とする。
【課題を解決するための手段】
【００１１】
本発明は、上記の目的を達成するために、同期信号を含むデジタル音声信号を受信するデジタル音声受信部と変調する変調部と高周波数に変換する周波数変換部と増幅する高周波増幅器とからなる現用の送信装置と予備の送信装置とを有し、現用の送信装置の出力と予備の送信装置の出力とを切替える切替器と切替器を制御する送信監視板とを有するデジタル無線伝送装置において、前記現用の送信装置と予備の送信装置とに、同期信号を含むデジタル音声信号から同期信号を抽出する手段をそれぞれ有し、前記送信監視板に、前記送信監視板にて現在現用の出力に選択されている側の前記デジタル音声信号の同期信号を含む信号を基準同期信号に選択するスイッチと前記基準同期信号に同期した上記クロックとフレーム信号とを双方の送信装置に供給する同期発生部とを有し、前記現用の送信装置と予備の送信装置とに、前記送信装置の変調部と周波数変換部とのクロックを前記同期したクロックとフレーム信号とに同期させる同期部とを有することを特徴とするデジタル無線伝送装置である。
【００１２】
また、上記デジタル無線伝送装置において、上記送信監視板にて現在現用の出力に選択されている側の前記デジタル音声信号の同期信号を含む信号が、前記同期信号を含むデジタル音声信号または前記送信装置で抽出された前記同期信号の少なくとも一方であることをを特徴とするデジタル無線伝送装置である。
【発明の効果】
【００１３】
以上説明したように本発明によれば、デジタル音声信号においても、前記現用と予備の送信側装置切替時、受信側装置にて切替前後の受信データが不連続にならぬように、双方の伝送データクロックのタイミングと周波数との同期を一致させ、情報の欠落を防止し、シームレス切替が可能になる。
【図面の簡単な説明】
【００１４】
【図１】本発明の一実施例を示すデジタル音声ＳＴＬのブロック図
【図２】従来技術のデジタル音声ＳＴＬのブロック図
【発明を実施するための形態】
【実施例１】
【００１５】
本発明の実施例を図１を用いて説明する。図１は、図２の従来技術の構成に加え、送信装置２１と送信装置２２とにデジタル音声受信部１０とデジタル音声受信部１１を加え送信装置１と送信装置２とにし、送信監視板２３にＰＬＬ（Phase
Locked Loop）回路９、スイッチ１０を追加することにより同期発生部１２を有する送信監視板５とした構成のＳＨＦ（Super High Frequency）を用いた同期信号を含むデジタル音声信号のＳＴＬ（Studio Transmitter Link）装置として用いられるデジタル無線伝送装置である。
【００１６】
図１において、送信装置１と送信装置２の２重化された装置のＳＨＦ出力を、送信監視板５の切替信号に従ってＳＨＦ切替器３で切替、送信アンテナ４からＳＨＦ電波として出力される。送信装置１と送信装置２は、デジタル音声受信部１０とデジタル音声受信部１１において入力したＡＥＳ／ＥＢＵ信号等の同期信号を含むデジタル音声信号を圧縮した上で、入力した接点情報等の制御信号との多重化を行い、変調部１５と変調部１６とにおいて誤り訂正符号化とＱＡＭ（Quadrature Amplitude Moduration）等のデジタル変調を行い、周波数変換部１７と周波数変換部１８とにおいてＳＨＦへの周波数変換を行い、高周波増幅器１９と高周波増幅器２０とにおいて高周波数増幅されたＳＨＦ出力をＳＨＦ切替器３に出力する。
【００１７】
また、図１の送信監視板５は、スイッチ１０と、ＰＬＬ回路９とＶＣＯ（Voltage Control Oscillator）６と分周回路７とからなる同期発生部１２と、切替制御部８で構成されている。
【００１８】
さらに、図１の送信装置１及び２では、デジタル音声受信部１０と１１とで入力したＡＥＳ／ＥＢＵ信号等の同期信号を含むデジタル音声信号から同期信号を抽出し、抽出した同期信号を各々送信監視板５に供給する。送信監視板５では、現在ＳＨＦ出力を選択している現用系を示す選択信号を切替制御８よりスイッチ１０に供給する。スイッチ１０は、入力した同期信号を選択信号に従い、現用に選択した送信装置１の同期信号をＰＬＬ回路９へ供給する。ＰＬＬ回路９は同期信号を基準として制御電圧をＶＣＯ６に供給し、ＶＣＯ６が発振するクロックの周波数とタイミングはデジタル音声信号の同期信号とサンプリングレートとロックする。ＶＣＯ６が発振するクロックを分周器７が分周しフレーム信号を発生する。
【００１９】
すなわち図１の送信監視板５の同期発生部１２は、デジタル音声信号の音声情報の同期信号とサンプリングレートとに周波数とタイミングとがロックしたクロックとフレーム信号とを送信装置１の同期部１３と送信装置２の同期部１４とに供給する。送信装置１の同期部１３は同期発生部１２からのクロックとフレーム信号とに同期させた各種のクロックを変調部１５と周波数変換部１７とに供給し、送信装置２の同期部１４は同期発生部１２からのクロックとフレーム信号とに同期させた各種のクロックを変調部１６と周波数変換部１８とに供給する。
【００２０】
つまり、図１の送信装置１と２とに各々入力したデジタル音声信号より抽出した同期信号を送信監視板５に供給し、送信監視板５にて現在現用の出力に選択されている送信装置１の同期信号を基準クロックとしてＶＣＯとＰＬＬ処理を行うことで、デジタル音声信号に周波数とタイミングとが追従したクロックとフレーム信号を生成し、同期部１３と１４はクロックとフレーム信号とに同期させた各種のクロックを変調部１６と１７と周波数変換部１８と１９とに供給する。
【００２１】
その結果、デジタル音声信号においても、図１の現用の送信装置１と予備の送信装置２の伝送データのクロック周波数（速度）とタイミングとをデジタル音声信号の同期信号とサンプリングレートとに一致させ、現用の送信装置１と予備の送信装置２との切替時に受信側装置にて切替前後の受信データが連続になり、情報の欠落を防止し、現用の送信装置１と予備の送信装置２とのシームレス切替が可能になる。
【００２２】
また、図１の現用の送信装置１と予備の送信装置２のデジタル音声信号から抽出した同期信号をスイッチ１０で切り替えているので、クロックとフレーム信号を切り替える場合とは異なり、ＰＬＬ回路の周波数とタイミングとの動作が安定し、現用の送信装置１と予備の送信装置２とのシームレス切替が容易になる。
【実施例２】
【００２３】
ここで、別の実施例として、本発明の一実施例を示すデジタル音声ＳＴＬのブロック図の図１で上記実施例１では、デジタル音声受信部の１１と１２からスイッチ１０に同期信号を送っているが、同期信号の替わりに非圧縮のシリアルデジタル音声信号そのものを送り、ＰＬＬ回路９において同期信号を含む非圧縮のシリアルデジタル音声信号から同期信号を抽出しても良い。スイッチ１０にデジタル音声信号を送ることと、ＰＬＬ回路９で同期信号を抽出する以外は、実施例１と同一である。
【００２４】
デジタル音声信号から抽出した同期信号をスイッチ１０で切り替える実施例１に対し、同期信号よりクロック周波数の高い非圧縮のシリアルデジタル音声信号をスイッチ１０で切り替える実施例２の方は、同期信号を抽出する回路（Re-Clocker）がＰＬＬ回路に増加するが、抽出された同期信号に対するＰＬＬ回路の動作は実施例１と同一であり、現用の送信装置１と予備の送信装置２とのシームレス切替は容易である。
【００２５】
同期信号を抽出する回路（Re-Clocker）は専用ＩＣでもＦＰＧＡ等でも小型に実装でき、実施例１と同様に実施例２でも現用の送信装置１と予備の送信装置２とのシームレス切替が小型に実装できる。
【符号の説明】
【００２６】
１，２，２１，２２：送信装置、３：ＳＨＦ切替器、４：送信アンテナ、
５，２３：送信監視板、６：ＶＣＯ、７：分周回路、８：切替制御部、
９：ＰＬＬ回路、１０：スイッチ、１１，１２：デジタル音声受信部、
１３，１４：同期部、１５，１６：変調部、１７，１８：周波数変換部、
１９，２０：高周波増幅器、２４：同期発生部、
【図１】
2011071617.tif 000003
【図２】
2011071617.tif 000004